(57)【要約】【課題】簡易で雨仕舞性がよい構成で、建物内の換気を効果的に行うことができる。【解決手段】建物の換気装置１は、室１１の外壁２１に形成された排気窓２２と、外壁２１の排気窓２２の近傍に位置し、室１１の天井面２０の平坦面から垂下されたシーリングファン２３と、を有する。排気窓２２は、室１１の角部Ｌを形成する外壁２１ａ、２１ｂに形成されている。また、シーリングファン２３の側部を囲うように仕切り板５０が設けられている。【選択図】図８
2015007347.tif 000002
【特許請求の範囲】
【請求項１】
室と建物外部空間とを区画する外壁に設けられた排気窓と、
前記排気窓の近傍に位置し、前記室の天井面から垂下されたシーリングファンと、を有する、建物の換気装置。
【請求項２】
前記排気窓は、前記室の角部に配置されている、請求項１に記載の建物の換気装置。
【請求項３】
前記排気窓は、前記室の角部を形成する隣り合う外壁にそれぞれ設けられている、請求項２に記載の建物の換気装置。
【請求項４】
前記シーリングファンは、前記外壁と、前記外壁に連続する内壁とで包囲されている、請求項１又は２に記載の建物の換気装置。
【請求項５】
前記内壁には、前記天井面から垂下された垂れ壁が含まれる、請求項４に記載の建物の換気装置。
【請求項６】
前記内壁には、間仕切り壁が含まれる、請求項４又は５に記載の建物の換気装置。
【請求項７】
前記内壁には、前記室の天井面が部分的に下げられて形成される側壁が含まれる、請求項４〜６のいずれかに記載の建物の換気装置。
【請求項８】
前記排気窓は、夏季の卓越風の風下方向に向けられている、請求項１〜７のいずれかに記載の建物の換気装置。
【請求項９】
室内に外気を導入するための給気窓を有する、請求項１〜８のいずれかに記載の建物の換気装置。
【請求項１０】
前記給気窓は、前記排気窓が設けられた外壁に略対向する外壁に設けられている、請求項９に記載の建物の換気装置。
【請求項１１】
前記給気窓は、前記シーリングファンを備えた階層よりも下の階層に設けられている、請求項９又は１０に記載の建物の換気装置。
【請求項１２】
前記給気窓は、前記シーリングファンを備えた室と異なる他の室に設けられ、前記室と前記他の室とが、間仕切り壁又は階層間の床に設けられた通気部によって連通されている、請求項９〜１１のいずれかに記載の建物の換気装置。
【請求項１３】
前記排気窓及び前記シーリングファンを備えた室は、吹抜によって形成された２階層分以上の天井高を有する、請求項１〜１２のいずれかに記載の建物の換気装置。
【請求項１４】
前記排気窓及びシーリングファンを備えた室は、中間床を下方に備え、略１．５階層分の天井高を有する、請求項１〜１２のいずれかに記載の建物の換気装置。
【発明の詳細な説明】
【技術分野】
【０００１】
本発明は、建物の換気装置に関する。
【背景技術】
【０００２】
例えば都市部などの密集地における建物は、外壁に窓を設けただけでは風が抜けにくく、他の方法で建物内部の換気や通風を促進することが求められる。
【０００３】
そこで、従来より、シーリングファンを天窓（トップライト）の近傍に設けることで、建物内の換気や通風を促進する換気装置が提案されている（特許文献１参照）。
【先行技術文献】
【特許文献】
【０００４】
【特許文献１】特開２００５−１４６８３８号公報
【発明の概要】
【発明が解決しようとする課題】
【０００５】
しかしながら、この場合、天窓の開閉機構が複雑になりコストがかさみ、雨仕舞も難しくなる。
【０００６】
本発明は、上記課題を解決するものであり、簡易且つ雨仕舞しやすい構成を有しつつ、建物内の換気を効果的に行うことができる建物の換気装置を提供することを目的とする。
【課題を解決するための手段】
【０００７】
上記目的を達成するための本発明は、室と建物外部空間とを区画する外壁に設けられた排気窓と、前記外壁の排気窓の近傍に位置し、前記室の天井面から垂下されたシーリングファンと、を有する、建物の換気装置である。
【０００８】
本発明によれば、換気装置が、簡易且つ雨仕舞しやすい構成を有しつつ、建物内の換気を効果的に行うことができる。
【０００９】
前記排気窓は、前記室の角部に形成されていてもよい。かかる場合、排気窓とシーリングファンが室の角部に位置するので、室内の空気の吸い上げ効果を向上できる。
【００１０】
前記排気窓は、前記室の角部を形成する隣り合う外壁にそれぞれ設けられていてもよい。かかる場合、室内の空気を２つの排気窓から排出できるので、換気効果をさらに高めることができる。
【００１１】
前記シーリングファンは、前記外壁と、前記外壁に連続する内壁とで包囲されていてもよい。かかる場合、室内の空気の排気窓への誘導効果を向上できる。
【００１２】
前記内壁には、前記天井面から垂下された垂れ壁が含まれてもよい。
【００１３】
前記内壁には、間仕切り壁が含まれてもよい。
【００１４】
前記内壁には、前記室の天井面が部分的に下げられて形成される側壁が含まれてもよい。
【００１５】
前記排気窓は、夏季の卓越風の風下方向に向けられていてもよい。かかる場合、最も換気を必要とする夏季において、負圧により排気を促進できる。また、排気窓からの風の吹き込みによる換気効率の低下を防止できる。
【００１６】
上記建物の換気装置は、室内に外気を導入するための給気窓を有していてもよい。かかる場合、室内の換気をさらに促進できる。
【００１７】
前記給気窓は、前記排気窓が設けられた外壁に略対向する外壁に設けられていてもよい。かかる場合、建物内の換気をより効果的に行うことができる。
【００１８】
前記給気窓は、前記シーリングファンを備えた階層よりも下の階層に設けられていてもよい。かかる場合、建物内の換気をより効果的に行うことができる。
【００１９】
前記給気窓は、前記シーリングファンを備えた室と異なる他の室に設けられ、前記室から前記他の室とが、間仕切り壁又は階層間の床に設けられた通気部によって連通されていてもよい。かかる場合、建物内の複数の室内の換気を効果的に行うことができる。
【００２０】
前記排気窓及び前記シーリングファンを備えた室は、吹抜によって形成された２階層分以上の天井高を有していてもよい。かかる場合、シーリングファンが邪魔になって居住者の生活に支障をきたすことがない。なお、ここで「吹抜」とは、階段を備えたいわゆる「階段室」も含む概念である。
【００２１】
前記排気窓及びシーリングファンを備えた室は、中間床を下方に備え、略１．５階層分の天井高を有していてもよい。かかる場合、シーリングファンが邪魔になって居住者の生活に支障をきたすことがない。また、床面積も確保しておくことができる。
【発明の効果】
【００２２】
本発明によれば、簡易で雨仕舞しやすい構成で、建物内の換気を効果的に行うことができる。
【図面の簡単な説明】
【００２３】
【図１】換気装置を有する建物の模式図である。
【図２】換気装置を側方から見た縦断面図である。
【図３】換気装置を上面から見た横断面図である。
【図４】室の角部にシーリングファンを設けた場合の換気装置を上面から見た横断面図である。
【図５】２つの排気窓を有する換気装置を上面から見た横断面図である。
【図６】間仕切り壁を有する換気装置を上面から見た横断面図である。
【図７】天井面が部分的に下がって形成された側壁を有する建物の模式図である。
【図８】仕切り板を有する換気装置の斜視図である。
【図９】仕切り板を有する換気装置を上面から見た横断面図である。
【図１０】仕切り板を有する換気装置を側方から見た縦断面図である。
【図１１】３方向に仕切り板を有する換気装置を上面から見た横断面図である。
【図１２】給気窓を備えた換気装置を有する建物の模式図である。
【図１３】下階層に給気窓を備えた換気装置を有する建物の模式図である。
【図１４】通気部を備えた換気装置を有する建物の模式図である。
【図１５】吹抜けに設けられた換気装置を有する建物の模式図である。
【図１６】中間床のある室に設けられた換気装置を有する建物の模式図である。
【発明を実施するための形態】
【００２４】
以下、図面を参照して、本発明の好ましい実施の形態について説明する。図１は、本実施の形態に係る建物の換気装置１を有する建物２を示す模式図である。なお、本明細書及び図面において、実質的に同一の機能構成を有する構成要素については、同一の符号を付することにより重複説明を省略する。また、本実施の形態は、本発明を説明するための例示であり、本発明がこの実施の形態の記載のみに限定されるものではない。
【００２５】
本実施の形態における建物２は、例えば複数の階層を有し、最上階に平坦な陸屋根１０を有している。また、建物２の室１１は、平坦な天井面２０を有している。なお、室１１には、リビング、キッチンなどの部屋や、廊下や階段等が含まれる。
【００２６】
換気装置１は、例えば室１１の垂直な外壁２１に形成された排気窓２２と、その排気窓２２の近傍に位置し、少なくとも上向きの送風機能を有するシーリングファン２３を有している。
【００２７】
排気窓２２は、例えば最上階の室１１の外壁２１の上部、例えば天井面２０から、階層高さの１/３の範囲に形成されている。排気窓２２は、夏季の卓越風の風下方向に向けられている。排気窓２２は、例えば図２に示すように建物２の外部に対し開閉自在であり、例えば上端部を支点として外側に回動して開閉できる。
【００２８】
シーリングファン２３は、例えば室１１の天井面２０から垂下され、下端部には、給電により垂直軸周りに回転する複数枚の羽根３０を備えている。例えばシーリングファン２３は、図２及び図３に示すように排気窓２２に近接配置されている。羽根３０の先端部が描く軌跡と外壁２１までの最短距離は、８０ｃｍ以内が好ましく、１５ｃｍ〜５０ｃｍがより好ましく、３５ｃｍ程度がさらに好ましい。また、床から羽根３０までの高さは、２ｍ以上が好ましく、２．４ｍ以上がより好ましい。
【００２９】
排気窓２２は、図２に示すようにその下端２２ａが、シーリングファン２３の羽根３０とほぼ同じ高さとなるように設置されている。なお、排気窓２２の下端２２ａの高さは、羽根３０より３５ｃｍ程度高くても、５０ｃｍ程度低くてもよい。
【００３０】
以上のように構成された換気装置１の使用時には、排気窓２２を開放し、シーリングファン２３の羽根３０を上向きの気流が生じるように回転させる。こうすることにより、室１１内に排気窓２２に向かう上昇気流が形成され、室１１内の空気が吸い上げられ、排気窓２２から効果的に排気される。
【００３１】
本実施の形態によれば、室１１の外壁２１に排気窓２２を設け、その排気窓２２の近傍に、天井面２０から垂下されるシーリングファン２３を設けているので、天窓や換気塔を用いた場合に比べて、簡易で雨仕舞しやすい構成となり、なおかつ建物２内の換気を効果的に行うことができる。
【００３２】
また、本実施の形態では、排気窓２２が夏季の卓越風の風下方向に向けられているので、最も換気を必要とする夏季において、負圧により排気窓２２からの排気を促進できる。また、排気窓２２からの風の吹き込みによる排気効率の低下を抑制できる。
【００３３】
上記実施の形態の形態では、排気窓２２が、外壁２１の室１１の角部でない位置に形成されていたが、排気窓２２が、図４に示すように外壁２１における室１１の角部Ｌに形成されていてもよい。かかる場合、シーリングファン２３の側部が隣り合う２面の外壁２１で囲まれているため、シーリングファン２３周囲に狭小空間ができ、それにより、より強い上昇気流が形成され、室１１内の空気の吸い上げ効果を高めることができる。
【００３４】
また、排気窓２２は、図５に示すように室１１の角部Ｌを形成する隣り合う２面の外壁２１ａ、２１ｂのそれぞれに設けられていてもよい。かかる場合、強い気流が形成される角部Ｌに２つの排気窓２２が設けられるので、換気がさらに効果的に行われる。また、外気の風向に応じて排気窓２２を選択的に開閉することで、風向の影響を受けずに、室１１内の空気を排気できる。なお、この場合、シーリングファン２３は、外壁２１ａ、２１ｂの各排気窓２２に対し等距離に配置されていてもよい。
【００３５】
以上の実施の形態において、外壁２１に連続する内壁がシーリングファン２３の側部を囲むように近接配置されていてもよい。なお、ここで「内壁」とは、室と建物外部空間を区画しない、建物内に設けられた壁を意味する。例えば図６に示すようにシーリングファン２３には、例えば隣の部屋との間を仕切る内壁としての間仕切り壁４０が近接配置されていてもよい。かかる場合、シーリングファン２３の側部が外壁４１と間仕切り壁４０により囲まれているため、室１１内の空気の排気窓２２への誘導効果を高めることができる。
【００３６】
また、内壁が、図７に示すように室１１の天井面２０が部分的に下げられて形成された側壁４５であってもよい。かかる場合も、シーリングファン２３の側部が外壁４１と側壁４５により囲まれているため、室１１内の空気の排気窓２２への誘導効果を高めることができる。
【００３７】
また、内壁として、図８及び図９に示すようにシーリングファン２３の側部を囲む仕切り板（垂れ壁）５０であってもよい。仕切り板５０は、例えば図１０に示すように天井面２０から垂下され、シーリングファン２３の羽根３０と同程度かそれより下方まで達する高さを有している。かかる場合も、シーリングファン２３の側部が外壁２１と仕切り板５０に囲まれているため、室１１内の空気の排気窓２２への誘導効果を高めることができる。なお、仕切り板５０は、透明板により形成されていてもよく、かかる場合、排気窓２２からの採光を確保できる。
【００３８】
上述の間仕切り壁４０、側壁４５及び仕切り板５０は、その両端が外壁２１と連続していてもよいし、一端のみが外壁２１と連続していてもよい。また、必ずしも外壁２１に連続している必要もなく、間仕切り壁４０、側壁４５及び仕切り板５０自体も非連続であってもよい。
【００３９】
また、内壁として、間仕切り壁４０、側壁４５及び仕切り板５０を組み合わせて用いてもよく、この場合も連続、非連続を問わない。
【００４０】
以上の実施の形態における換気装置１は、例えば図１２に示すように室１１内に外気を導入するための給気窓６０を有するのが好ましい。かかる場合、室１１内の換気がさらに促進される。また、給気窓６０は、排気窓２２のある外壁２１と略対向する外壁６１に設けるのがより好ましく、この場合、室１１内の空気の流れがスムーズになり、室１１の換気をさらに効果的に行うことができる。
【００４１】
また、給気窓６０は、例えば図１３に示すようにシーリングファン２３を備えた階層よりも下の階層に設けるのが好ましい。この場合、建物全体を効率良く換気できる。なお、階層が３以上の建物においては、排気窓２２を最上階層に設け、給気窓６０を最下階層に設けるのが好ましい。
【００４２】
更に、給気窓６０は、例えば図１４に示すようにシーリングファン２３を備えた第１の室７０と異なる第２の室７１に設けられ、第１の室７０と第２の室７１とが、間仕切り壁７３又は階層間の床７２に設けられた通気部８０によって連通しているのが好ましい。かかる場合、建物２内の第１の室７０から第２の室７１までの空気の流れが滞ることなく、建物２内の換気が効果的に行われる。
【００４３】
以上の実施の形態における排気窓２２及びシーリングファン２３は、例えば図１５に示すように吹抜９０によって形成された２階層分以上の天井高を有する室９１に設けられていてもよい。かかる場合、シーリングファン２３が邪魔になって居住者の生活に支障をきたすことがない。なお、吹抜９０は階段を備えてもよい。
【００４４】
また、排気窓２２及びシーリングファン２３は、例えば図１６に示すように中間床１００を下方に備え、略１.５階層分の天井高を有する室１０１に設けられていてもよい。かかる場合、シーリングファン２３が邪魔して居住者の生活に支障をきたすことがなく、かつ床面積も確保しておくことができる。
【００４５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００４６】
例えば上記排気窓２２の形や大きさ、開閉方式は任意に選択できる。またシーリングファン２３の径や形も任意に選択できる。また、シーリングファン２３は、室１１内の複数個所に設けられてもよい。
【産業上の利用可能性】
【００４７】
本発明は、簡易で雨仕舞性がよい構成で、建物内の換気を効果的に行う際に有用である。
【符号の説明】
【００４８】
１  換気装置
２  建物
１１  室
２０  天井面
２１  外壁
２２  排気窓
２３  シーリングファン
３０  羽根
４０  間仕切り壁
４５  側壁
５０  仕切り板
６０  給気窓
８０  通気部
【図１】
2015007347.tif 000003
【図２】
2015007347.tif 000004
【図３】
2015007347.tif 000005
【図４】
2015007347.tif 000006
【図５】
2015007347.tif 000007
【図６】
2015007347.tif 000008
【図７】
2015007347.tif 000009
【図８】
2015007347.tif 000010
【図９】
2015007347.tif 000011
【図１０】
2015007347.tif 000012
【図１１】
2015007347.tif 000013
【図１２】
2015007347.tif 000014
【図１３】
2015007347.tif 000015
【図１４】
2015007347.tif 000016
【図１５】
2015007347.tif 000017
【図１６】
2015007347.tif 000018